(57)【要約】【課題】配管作業性が著しく向上し、尚且つ施工後の美観をもともと兼ね備え、配管内の流体の保温保冷効果はもちろんの事、ステンレスフレキシブルチューブ本管の保護を目的とする保護カバーの装着された水栓用フレキシブル継手を提供する。【解決手段】給水給湯に使用されている水栓用フレキシブルチューブを細く柔軟性の向上した波形フレキシブルチューブ４に成形し、割れ（切れ目）の無い四層構造から成る保護カバー３を装着させ、波形フレキシブルチューブ４の端を軸方向へ平たく潰しパッキン面としたフレキツバ外径を専用接続ナット１に係り止めし、専用シート２をフレキツバ部裏側に装着することで製品強度が保持でき、施工性・美観とも著しく向上させる。【選択図】図１
0003115501.tif 000002
【実用新案登録請求の範囲】
【請求項１】
給水給湯に使用されている水栓用フレキシブルチューブを、細く柔軟性の向上した波形フレキシブルチューブに成形し保護カバーを装着させ、フレキシブルチューブ端を軸方向に平たく潰してフレキツバ部とし専用接続ナットに係り止めさせ、相手方接続金具と接続できる保護カバー付水栓用フレキシブル継手。
【請求項２】
保護カバー自体にクッション性と伸縮性があり、尚且つ極端に屈曲した時も、良好に保護カバー内径が確保できる請求項1記載の保護カバー付水栓用フレキシブル継手。
【請求項３】
フレキ端を軸方向に平たく潰してフレキツバ部としナット内径に係り止めした際、フレキツバ面から軸方向へフレキ山を複数個格納するだけの袖をナット部軸方向に設ける事でフレキ軸方向に対する強度を安定させる専用接続ナットを使用した請求項１〜請求項２記載の保護カバー付水栓用フレキシブル継手。
【請求項４】
請求項３記載のフレキツバ部の裏側（軸方向胴体側）に専用シートを装着させ微振動等を吸収緩和しフレキツバ部とナット内径の係り止め部の不安定さを解消し、製品強度を向上させている請求項１〜請求項３記載の保護カバー付水栓用フレキシブル継手。
【考案の詳細な説明】
【技術分野】
【０００１】
一般住宅用建物の配管において、給水・給湯に分かれている配管経路のもっともポピュラーな配管、水栓用フレキシブル継手に関するものである。
【背景技術】
【０００２】
一般住宅用建物の配管において、水栓用フレキシブル継手が主に使用されているが、屋外・屋内配管とも保護カバーのついている方が良いと思われる配管が多い。
【０００３】
例えば、屋内配管の場合、トイレロータンク周り、キッチン、風呂・洗面化粧台周りなどのサニタリー配管などが挙げられる。
【０００４】
屋外配管の場合でも、散水栓、給湯器周り、また室外手洗い場やボイラー配管（寒冷地）、ソーラーシステムなどによる配管が挙げられる。これらの配管は、給水・給湯に分かれていて配管経路としても、もっともポピュラーな配管になっている。
【０００５】
しかし、このような配管の望まれる場所は、えてして狭い場所や狭い空間が多く、施工作業員が配管に保護カバーを装着・テーピング補修するような作業はとても難儀するため、至って簡略な施工方法（現在主流になっているステンレス製フレキシブルチューブが裸のまま配管される）か若しくは配管する前に、配管長さの計測・保護カバーの配管形状に合わせた切断や施工に伴う道具の用意など前準備に時間を取られるなどしているのが現状である。
【０００６】
また、狭い場所や狭い空間の作業条件下で、保護カバーの取り付け・テーピング補修は施工作業員の技術的な慣れ不慣れが左右する事が多く、一応配管としての仕上がりはするものの美観的に問題が残る。
【０００７】
昨今、屋外・屋内配管を問わず製品機能は損なわないまま美観を備えているもの、
若しくは配管周りの美観を損なわない製品ルックスを備えたものが要求されつつある。これらの事情を考慮して、今回の保護カバー付水栓用フレキシブルチューブは考案される。
【考案の開示】
【考案が解決しようとする課題】
【０００８】
配管作業性が著しく向上し、尚且つ施工後の美観をもともと兼ね備え、配管内の流体の保温保冷効果はもちろんの事、ステンレスフレキシブルチューブ本管の保護を目的とする保護カバーの装着された水栓用フレキシブル継手を提供する事を目的とする。
【課題を解決するための手段】
【０００９】
この波形フレキシブルチューブは耐孔食性に優れたステンレス材を使用し、一般に給水給湯に使用されている水栓用フレキシブルチューブの径よりも細く成形され、柔軟性が向上し、しなやかに屈曲することができる。
【００１０】
保護カバーを装着しても、この保護カバー自体軸方向に伸縮性があり従来のものより柔らかいので内蔵した波形フレキシブルチューブ共々容易にかつ十分に曲げる事が可能で、配管姿は自由自在に展開でき、細やかな配管形状に特に向く。もちろん、壁に沿わせた配管も難なく可能になる。
【００１１】
この波形フレキシブルチューブならではの柔軟性で、従来では工具を用いないと簡易に曲げられなかった、例えば長さ１００ミリ〜１５０ミリ程度の極端に短い長さ配管でも、臨機応変に容易に曲げる事ができ、従来通り配管における変位取りから施工配管形状の変更にもすぐにその場で対応できる柔軟さを持っている。
【００１２】
また、この保護カバーは軸方向への割れ（切れ目）が無い筒状になっていて施工配管後この保護ホースがフレキシブルチューブをすっぽり包み込む形になるのでズレヌケ落ちたりする心配もなく、何よりもテープによる補修作業が不要になる。
【考案の効果】
【００１３】
このように、この細い波形フレキシブルチューブに保護カバーが容易に装着されていれば、配管内を流れる流体の保温・保冷効果、管外温度と管内温度との差により生じる結露防止、薬品缶の側や又は屋外配管などでの特殊環境下で配管されているステンレスフレキシブルチューブ本管の保護、美化清掃時などによる洗剤等の直接の付着を防止できる。
【００１４】
又、美観的な問題は面倒だった保護カバーの装着及びテーピング補修や狭い作業空間条件などに左右される事がなくなり、保護カバーと専用ナットの外径が配管後ほぼ同径になるのでスッキリとして見え、施工完了後も保護カバーの伸縮を利用して専用ナットの首元まで保護カバーを伸ばしてくればキッチリとステンレスフレキシブルチューブ本管を保護する事ができる。
【００１５】
施工後、配管の見栄えも向上するし、施工に関わる前準備などが簡略化できるので施工性・美観ともに著しく向上する。
【考案を実施するための最良の形態】
【００１６】
以下、実施の形態については図１〜図４をもって説明する。
【００１７】
図２、図３より保護カバー付水栓用フレキシブルチューブの波形フレキシブルチューブ４は優れた耐孔食性のあるステンレス材を使用し、一定のピッチを持ってフレキ山部となる凸部とフレキ谷部となる凹部が交互に連続して成形された波形形状になっていて、フレキ山部径・谷部径ともに従来より一般的に給水給湯に使用されている水栓用フレキシブルチューブに比べて細く成形されており、しなやかで屈曲も柔らかく、それにより配管形状も自在に設定できるものになっている。
【００１８】
図２、図４に図示する波形フレキシブルチューブ４を内蔵させる保護カバー３は四層構造からなる樹脂製のホースで、塩ビ系樹脂の内部ホース８の内径は波形フレキシブルチューブ４を無理なく内蔵させるだけの内径を持ち、これに沿って波形フレキシブルチューブ４が挿入される。
【００１９】
この塩ビ系樹脂の内部ホース８の外周部には剛性のある耐衝撃性の強いPP（ポリプロピレン）製の芯材５が一定の間隔をおいてらせん状に巻きつけられており、極端な屈曲においても塩ビ系樹脂の内部ホース８に挿入されている波形フレキシブルチューブ４の保護及び塩ビ系樹脂の内部ホース８の内径確保に役立っている。
【００２０】
このらせん状に巻きつけられているPP製の芯材５の外周部には、このPP製の芯材５に沿って保温・保冷効果の期待できる発泡ポリエチレン製のクッション材６が同じくらせん状に巻きつけられていて、この発泡ポリエチレン製のクッション材６を保護するために又、より一層の保温・保冷効果を上げるためにも耐候性・耐薬品性のよい塩ビ系樹脂の外装ホース７で最外径が被覆されており、この最外径が専用接続ナット１外径とほぼ同じである。
【００２１】
この保護ホース３の内部構造から、保護ホース３の中間層にあるPP製の芯材５とその外周部を覆う発泡ポリエチレン製のクッション材６が同軸上においてらせん状に重なり合わさっている事で、この保護カバー３自体のクッション製の向上及び軸方向への伸縮が容易になっている。
【００２２】
この保護カバー３の内部に挿入される図２、図３に図示する波形フレキシブルチューブ４には専用の接続ナット１が付属している。
【００２３】
この専用接続ナット１は施工時に波形フレキシブルチューブ４の端を軸方向へ平たく潰してパッキン面としたフレキツバ外径を専用接続ナット内部に係り止めし、相手方接続金具（不図示）と接続するためにある。
【００２４】
この時波形フレキシブルチューブ４には、フレキツバ部裏側（軸方向胴体側）に専用シート２を装着している。
【００２５】
専用シート２を装着したフレキツバ部裏側（軸方向胴体側）は専用接続ナットネジ部を侵害しない。
【００２６】
又、この専用接続ナット１首元の内径は波形フレキシブルチューブ４の外径を無理なく通過させるだけの径をもち、ナット内径に専用シート２共々フレキツバ部が係り止めされてから尚且つ軸方向にフレキ山部複数個を格納できるだけの袖を持っている。
【００２７】
この袖の外径は専用接続ナット１の対角よりも小さい。
【００２８】
又、施工時にフレキツバ面が専用接続ナット１内部の係り止め面に対して平行でなく不細工であっても専用シート２をフレキツバ部裏側に装着し、フレキツバ面からフレキ山複数個を専用接続ナット１に格納できるだけの袖を設けることでフレキ軸方向に対する強度は安定し、波形フレキシブルチューブ４がナット首元からの極端な屈曲にも対応でき、また相手方接続金具とのシート面の安定に一役買っている。
【００２９】
この時に使用されている専用シート２は薄肉円形状のもので専用接続ナット１の内径に無理なく納まる外径でなり、尚且つフレキツバ部裏側外径に沿うようにこの外径分だけくり抜かれたドーナツ形状である。
【００３０】
もちろん、従来通り止水用パッキンのみで、相手方接続時に相手方パッキン面と波形フレキシブルチューブ４の端を軸方向に平たく潰してパッキン面としたフレキツバ部とで挟圧し密着させて使用しても問題はないが、この保護カバー付フレキシブル継手の製品強度を確実に確保するためには専用シート２をフレキツバ部裏側に装着使用する事が望ましい。
【００３１】
今回提案する保護カバー付フレキシブル継手のフレキツバ部裏側に専用シート２が装着され、専用接続ナット１の内部のツバ係り止め部でフレキツバ部が安定すると軸方向に対し、引張り強度及び耐圧強度がより一層向上する。
【００３２】
又、フレキツバ部裏側（軸方向胴体側）に専用シート２を装着する事で微振動等を吸収緩和しフレキツバ部とナット内径の係り止め部の不安定さを解消している。
【００３３】
以上のような構成によって  保護カバー３を装着している波形フレキシブルチューブ４は施工上の必要な長さに合わせて適宜用意され、使用される。
【図面の簡単な説明】
【００３４】
【図１】保護カバー付水栓用フレキシブルチューブの製品外観図。
【図２】保護カバー付水栓用フレキシブルチューブの製品半裁側面図。
【図３】保護カバー付水栓用フレキシブルチューブから保護カバーのみを省略した時の半裁側面図。
【図４】保護カバーのみの半裁側面図。
【符号の説明】
【００３５】
１  専用接続ナット
２  専用シート
３  保護カバー
４  波形フレキシブルチューブ
５  ＰＰ（ポリプロピレン）製の芯材
６  発泡ポリエチレン製のクッション部
７  塩ビ系樹脂の外装ホース
８  塩ビ系樹脂の内部ホース
【図１】
0003115501.tif 000003
【図２】
0003115501.tif 000004
【図３】
0003115501.tif 000005
【図４】
0003115501.tif 000006
【手続補正書】
【提出日】平成17年8月16日(2005.8.16)
【手続補正１】
【補正対象書類名】実用新案登録請求の範囲
【補正対象項目名】全文
【補正方法】変更
【補正の内容】
【実用新案登録請求の範囲】
【請求項１】
給水給湯に使用されている水栓用フレキシブルチューブを、細く柔軟性の向上した波形フレキシブルチューブに成形し保護カバーを装着させ、フレキシブルチューブ端を軸方向に平たく潰してフレキツバ部とし専用接続ナットに係り止めさせ、相手方接続金具と接続できる保護カバー付水栓用フレキシブル継手管。
【請求項２】
保護カバー自体にクッション性と伸縮性があり、尚且つ極端に屈曲した時も、良好に保護カバー内径が確保できる請求項1記載の保護カバー付水栓用フレキシブル継手管。
【請求項３】
フレキ端を軸方向に平たく潰してフレキツバ部としナット内径に係り止めした際、フレキツバ面から軸方向へフレキ山を複数個格納するだけの袖をナット部軸方向に設ける事でフレキ軸方向に対する強度を安定させる専用接続ナットを使用した請求項１〜請求項２記載の保護カバー付水栓用フレキシブル継手管。
【請求項４】
請求項３記載のフレキツバ部の裏側に専用シートを装着させ微振動等を吸収緩和しフレキツバ部とナット内径の係り止め部の不安定さを解消し、製品強度を向上させている請求項１〜請求項３記載の保護カバー付水栓用フレキシブル継手管。
【手続補正２】
【補正対象書類名】明細書
【補正対象項目名】全文
【補正方法】変更
【補正の内容】
【考案の詳細な説明】
【技術分野】
【０００１】
一般住宅用建物の配管において、給水・給湯に分かれている配管経路のもっともポピュラーな配管、水栓用フレキシブル継手管に関するものである。
【背景技術】
【０００２】
一般住宅用建物の配管において、水栓用フレキシブル継手管が主に使用されているが、屋外・屋内配管とも保護カバーのついている方が良いと思われる配管が多い。
【０００３】
例えば、屋内配管の場合、トイレロータンク周り、キッチン、風呂・洗面化粧台周りなどのサニタリー配管などが挙げられる。
【０００４】
屋外配管の場合でも、散水栓、給湯器周り、また室外手洗い場やボイラー配管（寒冷地）、ソーラーシステムなどによる配管が挙げられる。これらの配管は、給水・給湯に分かれていて配管経路としても、もっともポピュラーな配管になっている。
【０００５】
しかし、このような配管の望まれる場所は、えてして狭い場所や狭い空間が多く、施工作業員が配管に保護カバーを装着・テーピング補修するような作業はとても難儀するため、至って簡略な施工方法（現在主流になっているステンレス製フレキシブルチューブが裸のまま配管される）か若しくは配管する前に、配管長さの計測・保護カバーの配管形状に合わせた切断や施工に伴う道具の用意など前準備に時間を取られるなどしているのが現状である。
【０００６】
また、狭い場所や狭い空間の作業条件下で、保護カバーの取り付け・テーピング補修は施工作業員の技術的な慣れ不慣れが左右する事が多く、一応配管としての仕上がりはするものの美観的に問題が残る。
【０００７】
昨今、屋外・屋内配管を問わず製品機能は損なわないまま美観を備えているもの、
若しくは配管周りの美観を損なわない製品ルックスを備えたものが要求されつつある。これらの事情を考慮して、今回の保護カバー付水栓用フレキシブルチューブは考案される。
【特許文献１】特開平９−４９５９９公報
【考案の開示】
【考案が解決しようとする課題】
【０００８】
配管作業性が著しく向上し、尚且つ施工後の美観をもともと兼ね備え、配管内の流体の保温保冷効果はもちろんの事、ステンレスフレキシブルチューブ本管の保護を目的とする保護カバーの装着された水栓用フレキシブル継手管を提供する事を目的とする。
【課題を解決するための手段】
【０００９】
この波形フレキシブルチューブは耐孔食性に優れたステンレス材を使用し、一般に給水給湯に使用されている水栓用フレキシブルチューブの径よりも細く成形され、柔軟性が向上し、しなやかに屈曲することができる。
【００１０】
保護カバーを装着しても、この保護カバー自体軸方向に伸縮性があり従来のものより柔らかいので内蔵した波形フレキシブルチューブ共々容易にかつ十分に曲げる事が可能で、配管姿は自由自在に展開でき、細やかな配管形状に特に向く。もちろん、壁に沿わせた配管も難なく可能になる。
【００１１】
この波形フレキシブルチューブならではの柔軟性で、従来では工具を用いないと簡易に曲げられなかった、例えば長さ１００ミリ〜１５０ミリ程度の極端に短い長さ配管でも、臨機応変に容易に曲げる事ができ、従来通り配管における変位取りから施工配管形状の変更にもすぐにその場で対応できる柔軟さを持っている。
【００１２】
また、この保護カバーは軸方向への割れ（切れ目）が無い筒状になっていて施工配管後この保護ホースがフレキシブルチューブをすっぽり包み込む形になるのでズレヌケ落ちたりする心配もなく、何よりもテープによる補修作業が不要になる。
【考案の効果】
【００１３】
このように、この細い波形フレキシブルチューブに保護カバーが容易に装着されていれば、配管内を流れる流体の保温・保冷効果、管外温度と管内温度との差により生じる結露防止、薬品缶の側や又は屋外配管などでの特殊環境下で配管されているステンレスフレキシブルチューブ本管の保護、美化清掃時などによる洗剤等の直接の付着を防止できる。
【００１４】
又、美観的な問題は面倒だった保護カバーの装着及びテーピング補修や狭い作業空間条件などに左右される事がなくなり、保護カバーと専用ナットの外径が配管後ほぼ同径になるのでスッキリとして見え、施工完了後も保護カバーの伸縮を利用して専用ナットの首元まで保護カバーを伸ばしてくればキッチリとステンレスフレキシブルチューブ本管を保護する事ができる。
【００１５】
施工後、配管の見栄えも向上するし、施工に関わる前準備などが簡略化できるので施工性・美観ともに著しく向上する。
【考案を実施するための最良の形態】
【００１６】
以下、実施の形態については図１〜図５をもって説明する。
【００１７】
図２、図３より保護カバー付水栓用フレキシブルチューブの波形フレキシブルチューブ４は優れた耐孔食性のあるステンレス材を使用し、一定のピッチを持ってフレキ山部となる凸部とフレキ谷部となる凹部が交互に連続して成形された波形形状になっていて、フレキ山部径・谷部径ともに従来より一般的に給水給湯に使用されている水栓用フレキシブルチューブに比べて細く成形されており、しなやかで屈曲も柔らかく、それにより配管形状も自在に設定できるものになっている。
【００１８】
図２、図４に図示する波形フレキシブルチューブ４を内蔵させる保護カバー３は四層構造からなる樹脂製のホースで、塩ビ系樹脂の内部ホース８の内径は波形フレキシブルチューブ４を無理なく内蔵させるだけの内径を持ち、これに沿って波形フレキシブルチューブ４が挿入される。
【００１９】
この塩ビ系樹脂の内部ホース８の外周部には剛性のある耐衝撃性の強いPP（ポリプロピレン）製の芯材５が一定の間隔をおいてらせん状に巻きつけられており、極端な屈曲においても塩ビ系樹脂の内部ホース８に挿入されている波形フレキシブルチューブ４の保護及び塩ビ系樹脂の内部ホース８の内径確保に役立っている。
【００２０】
このらせん状に巻きつけられているPP製の芯材５の外周部には、このPP製の芯材５に沿って保温・保冷効果の期待できる発泡ポリエチレン製のクッション材６が同じくらせん状に巻きつけられていて、この発泡ポリエチレン製のクッション材６を保護するために又、より一層の保温・保冷効果を上げるためにも耐候性・耐薬品性のよい塩ビ系樹脂の外装ホース７で最外径が被覆されており、この最外径が専用接続ナット１外径とほぼ同じである。
【００２１】
この保護ホース３の内部構造から、保護ホース３の中間層にあるPP製の芯材５とその外周部を覆う発泡ポリエチレン製のクッション材６が同軸上においてらせん状に重なり合わさっている事で、この保護カバー３自体のクッション製の向上及び軸方向への伸縮が容易になっている。
【００２２】
この保護カバー３の内部に挿入される図２、図３に図示する波形フレキシブルチューブ４には専用の接続ナット１が付属している。
【００２３】
この専用接続ナット１は施工時に波形フレキシブルチューブ４の端を軸方向へ平たく潰してパッキン面としたフレキツバ外径を専用接続ナット内部に係り止めし、相手方接続金具（不図示）と接続するためにある。
【００２４】
この時波形フレキシブルチューブ４には、フレキツバ部裏側（軸方向胴体側）に専用シート２を装着している。
【００２５】
専用シート２を装着したフレキツバ部裏側（軸方向胴体側）は専用接続ナットネジ部を侵害しない。
【００２６】
又、この専用接続ナット１首元の内径は波形フレキシブルチューブ４の外径を無理なく通過させるだけの径をもち、ナット内径に専用シート２共々フレキツバ部が係り止めされてから尚且つ軸方向にフレキ山部複数個を格納できるだけの袖を持っている。
【００２７】
この袖の外径は専用接続ナット１の対角よりも小さい。
【００２８】
又、施工時にフレキツバ面が専用接続ナット１内部の係り止め面に対して平行でなく不細工であっても専用シート２をフレキツバ部裏側に装着し、フレキツバ面からフレキ山複数個を専用接続ナット１に格納できるだけの袖を設けることでフレキ軸方向に対する強度は安定し、波形フレキシブルチューブ４がナット首元からの極端な屈曲にも対応でき、また相手方接続金具とのシート面の安定に一役買っている。
【００２９】
この時に使用されている専用シート２は薄肉円形状のもので専用接続ナット１の内径に無理なく納まる外径でなり、尚且つフレキツバ部裏側外径に沿うようにこの外径分だけくり抜かれたドーナツ形状である。
【００３０】
もちろん、従来通り止水用パッキンのみで、相手方接続時に相手方パッキン面と波形フレキシブルチューブ４の端を軸方向に平たく潰してパッキン面としたフレキツバ部とで挟圧し密着させて使用しても問題はないが、この保護カバー付フレキシブル継手管の製品強度を確実に確保するためには専用シート２をフレキツバ部裏側に装着使用する事が望ましい。
【００３１】
今回提案する保護カバー付フレキシブル継手管のフレキツバ部裏側に専用シート２が装着され、専用接続ナット１の内部のツバ係り止め部でフレキツバ部が安定すると軸方向に対し、引張り強度及び耐圧強度がより一層向上する。
【００３２】
又、フレキツバ部裏側（軸方向胴体側）に専用シート２を装着する事で微振動等を吸収緩和しフレキツバ部とナット内径の係り止め部の不安定さを解消している。
【００３３】
以上のような構成によって  保護カバー３を装着している波形フレキシブルチューブ４は施工上の必要な長さに合わせて適宜用意され、使用される。
【図面の簡単な説明】
【００３４】
【図１】保護カバー付水栓用フレキシブルチューブの製品外観図。
【図２】保護カバー付水栓用フレキシブルチューブの製品半裁側面図。
【図３】保護カバー付水栓用フレキシブルチューブから保護カバーのみを省略した時の半裁側面図。
【図４】保護カバーのみの半裁側面図。
【図５】保護カバー付水栓用フレキシブルチューブの専用接続ナット部の拡大半裁側面図。
【符号の説明】
【００３５】
１  専用接続ナット
２  専用シート
３  保護カバー
４  波形フレキシブルチューブ
５  ＰＰ（ポリプロピレン）製の芯材
６  発泡ポリエチレン製のクッション部
７  塩ビ系樹脂の外装ホース
８  塩ビ系樹脂の内部ホース
【手続補正３】
【補正対象書類名】図面
【補正対象項目名】全図
【補正方法】変更
【補正の内容】
【図１】
0003115501.tif 000007
【図２】
0003115501.tif 000008
【図３】
0003115501.tif 000009
【図４】
0003115501.tif 000010
【図５】
0003115501.tif 000011
【手続補正書】
【提出日】平成17年8月22日(2005.8.22)
【手続補正１】
【補正対象書類名】明細書
【補正対象項目名】全文
【補正方法】変更
【補正の内容】
【考案の詳細な説明】
【技術分野】
【０００１】
一般住宅用建物の配管において、給水・給湯に分かれている配管経路のもっともポピュラーな配管、水栓用フレキシブル継手管に関するものである。
【背景技術】
【０００２】
一般住宅用建物の配管において、水栓用フレキシブル継手管が主に使用されているが、屋外・屋内配管とも保護カバーのついている方が良いと思われる配管が多い。
【０００３】
例えば、屋内配管の場合、トイレロータンク周り、キッチン、風呂・洗面化粧台周りなどのサニタリー配管などが挙げられる。
【０００４】
屋外配管の場合でも、散水栓、給湯器周り、また室外手洗い場やボイラー配管（寒冷地）、ソーラーシステムなどによる配管が挙げられる。これらの配管は、給水・給湯に分かれていて配管経路としても、もっともポピュラーな配管になっている。
【０００５】
しかし、このような配管の望まれる場所は、えてして狭い場所や狭い空間が多く、施工作業員が配管に保護カバーを装着・テーピング補修するような作業はとても難儀するため、至って簡略な施工方法（現在主流になっているステンレス製フレキシブルチューブが裸のまま配管される）か若しくは配管する前に、配管長さの計測・保護カバーの配管形状に合わせた切断や施工に伴う道具の用意など前準備に時間を取られるなどしているのが現状である。
【０００６】
また、狭い場所や狭い空間の作業条件下で、保護カバーの取り付け・テーピング補修は施工作業員の技術的な慣れ不慣れが左右する事が多く、一応配管としての仕上がりはするものの美観的に問題が残る。
【０００７】
昨今、屋外・屋内配管を問わず製品機能は損なわないまま美観を備えているもの、
若しくは配管周りの美観を損なわない製品ルックスを備えたものが要求されつつある。これらの事情を考慮して、今回の保護カバー付水栓用フレキシブル継手管は考案される。
【特許文献１】特開平９−４９５９９公報
【考案の開示】
【考案が解決しようとする課題】
【０００８】
配管作業性が著しく向上し、尚且つ施工後の美観をもともと兼ね備え、配管内の流体の保温保冷効果はもちろんの事、ステンレスフレキシブルチューブ本管の保護を目的とする保護カバーの装着された水栓用フレキシブル継手管を提供する事を目的とする。
【課題を解決するための手段】
【０００９】
本考案で用いる波形フレキシブルチューブは耐孔食性に優れたステンレス材を使用し、一般に給水給湯に使用されている水栓用フレキシブルチューブの径よりも細く成形され、柔軟性が向上し、しなやかに屈曲することができる。
【００１０】
本考案で用いる保護カバーを装着しても、この保護カバー自体軸方向に伸縮性があり従来のものより柔らかいので内蔵した波形フレキシブルチューブ共々容易にかつ十分に曲げる事が可能で、配管姿は自由自在に展開でき、細やかな配管形状に特に向く。もちろん、壁に沿わせた配管も難なく可能になる。
【００１１】
本考案で用いる波形フレキシブルチューブならではの柔軟性で、従来では工具を用いないと簡易に曲げられなかった、例えば長さ１００ミリ〜１５０ミリ程度の極端に短い長さ配管でも、臨機応変に容易に曲げる事ができ、従来通り配管における変位取りから施工配管形状の変更にもすぐにその場で対応できる柔軟さを持っている。
【００１２】
また、この保護カバーは軸方向への割れ（切れ目）が無い筒状になっていて施工配管後この保護カバーがフレキシブルチューブをすっぽり包み込む形になるのでズレヌケ落ちたりする心配もなく、何よりもテープによる補修作業が不要になる。
【考案の効果】
【００１３】
このように本考案では、この細い波形フレキシブルチューブに保護カバーが容易に装着されていれば、配管内を流れる流体の保温・保冷効果、管外温度と管内温度との差により生じる結露防止、薬品缶の側や又は屋外配管などでの特殊環境下で配管されているステンレスフレキシブルチューブ本管の保護、美化清掃時などによる洗剤等の直接の付着を防止できる。
【００１４】
又、美観的な問題は面倒だった保護カバーの装着及びテーピング補修や狭い作業空間条件などに左右される事がなくなり、保護カバーと専用ナットの外径が配管後ほぼ同径になるのでスッキリとして見え、施工完了後も保護カバーの伸縮を利用して専用ナットの首元まで保護カバーを伸ばしてくればキッチリとステンレスフレキシブルチューブ本管を保護する事ができる。
【００１５】
施工後、配管の見栄えも向上するし、施工に関わる前準備などが簡略化できるので施工性・美観ともに著しく向上する。
【考案を実施するための最良の形態】
【００１６】
以下、実施の形態については図１〜図５をもって説明する。
【００１７】
図２、図３より保護カバー付水栓用フレキシブル継手管の波形フレキシブルチューブ４は優れた耐孔食性のあるステンレス材を使用し、一定のピッチを持ってフレキ山部となる凸部とフレキ谷部となる凹部が交互に連続して成形された波形形状になっていて、フレキ山部径・谷部径ともに従来より一般的に給水給湯に使用されている水栓用フレキシブルチューブに比べて細く成形されており、しなやかで屈曲も柔らかく、それにより配管形状も自在に設定できるものになっている。
【００１８】
図２、図４に図示する波形フレキシブルチューブ４を内蔵させる保護カバー３は四層構造からなる樹脂製のホースで、保護カバー３を構成する塩ビ系樹脂の内部ホース８の内径は波形フレキシブルチューブ４を無理なく内蔵させるだけの内径を持ち、これに沿って波形フレキシブルチューブ４が挿入される。
【００１９】
保護カバー３を構成する塩ビ系樹脂の内部ホース８の外周部には剛性のある耐衝撃性の強いPP（ポリプロピレン）製の芯材５が一定の間隔をおいてらせん状に巻きつけられており、極端な屈曲においても塩ビ系樹脂の内部ホース８に挿入されている波形フレキシブルチューブ４の保護及び塩ビ系樹脂の内部ホース８の内径確保に役立っている。
【００２０】
このらせん状に巻きつけられているPP製の芯材５の外周部には、このPP製の芯材５に沿って保温・保冷効果の期待できる発泡ポリエチレン製のクッション材６が同じくらせん状に巻きつけられていて、この発泡ポリエチレン製のクッション材６を保護するために又、より一層の保温・保冷効果を上げるためにも耐候性・耐薬品性のよい塩ビ系樹脂の外装ホース７で最外径が被覆されており、この最外径が専用接続ナット１外径とほぼ同じである。
【００２１】
この保護カバー３の内部構造から、保護カバー３の中間層にあるPP製の芯材５とその外周部を覆う発泡ポリエチレン製のクッション材６が同軸上においてらせん状に重なり合わさっている事で、この保護カバー３自体のクッション製の向上及び軸方向への伸縮が容易になっている。
【００２２】
この保護カバー３の内部に挿入される図２、図３に図示する波形フレキシブルチューブ４には専用の接続ナット１が付属している。
【００２３】
この専用接続ナット１は施工時に波形フレキシブルチューブ４の端を軸方向へ平たく潰してパッキン面としたフレキツバ外径を専用接続ナット内部に係り止めし、相手方接続金具（不図示）と接続するためにある。
【００２４】
この時波形フレキシブルチューブ４には、フレキツバ部裏側に専用シート２を装着している。
【００２５】
専用シート２を装着したフレキツバ部裏側は専用接続ナットネジ部を侵害しない。
【００２６】
又、この専用接続ナット１首元の内径は波形フレキシブルチューブ４の外径を無理なく通過させるだけの径をもち、ナット内径に専用シート２共々フレキツバ部が係り止めされてから尚且つ軸方向にフレキ山部複数個を格納できるだけの袖を持っている。
【００２７】
この袖の外径は専用接続ナット１の対角よりも小さい。
【００２８】
又、施工時にフレキツバ面が専用接続ナット１内部の係り止め面に対して平行でなく不細工であっても専用シート２をフレキツバ部裏側に装着し、フレキツバ面からフレキ山複数個を専用接続ナット１に格納できるだけの袖を設けることでフレキ軸方向に対する強度は安定し、波形フレキシブルチューブ４がナット首元からの極端な屈曲にも対応でき、また相手方接続金具とのシート面の安定に一役買っている。
【００２９】
この時に使用されている専用シート２は薄肉円形状のもので専用接続ナット１の内径に無理なく納まる外径でなり、尚且つフレキツバ部裏側外径に沿うようにこの外径分だけくり抜かれたドーナツ形状である。
【００３０】
もちろん、専用シート２を使用せずに従来通り止水用パッキンのみで、相手方接続時に相手方パッキン面と波形フレキシブルチューブ４の端を軸方向に平たく潰してパッキン面としたフレキツバ部とで挟圧し密着させて使用しても問題はないが、この保護カバー付フレキシブル継手管の製品強度を確実に確保するためには専用シート２をフレキツバ部裏側に装着使用する事が望ましい。
【００３１】
今回提案する保護カバー付フレキシブル継手管のフレキツバ部裏側に専用シート２が装着され、専用接続ナット１の内部のツバ係り止め部でフレキツバ部が安定すると軸方向に対し、引張り強度及び耐圧強度がより一層向上する。
【００３２】
又、フレキツバ部裏側に専用シート２を装着する事で微振動等を吸収緩和しフレキツバ部とナット内径の係り止め部の不安定さを解消している。
【００３３】
以上のような構成によって  保護カバー３を装着している波形フレキシブルチューブ４は施工上の必要な長さに合わせて適宜用意され、使用される。
【図面の簡単な説明】
【００３４】
【図１】本考案の保護カバー付水栓用フレキシブル継手管の製品外観図。
【図２】本考案の保護カバー付水栓用フレキシブル継手管の製品半裁側面図。
【図３】本考案の保護カバー付水栓用フレキシブル継手管から保護カバーのみを省略した時の半裁側面図。
【図４】本考案の保護カバーのみの半裁側面図。
【図５】本考案の保護カバー付水栓用フレキシブル継手管の専用接続ナット部の拡大半裁側面図。
【符号の説明】
【００３５】
１  専用接続ナット
２  専用シート
３  保護カバー
４  波形フレキシブルチューブ
５  ＰＰ（ポリプロピレン）製の芯材
６  発泡ポリエチレン製のクッション部
７  塩ビ系樹脂の外装ホース
８  塩ビ系樹脂の内部ホース